(57)【要約】【課題】折り線６、７と開封用切取線８、１２とのみで取出口開設の際に一切ゴミを出さず、ティッシュペーパー取出し途中においては、ティッシュペーパー２を翼片９、１３で前後方向から交互に支持し立った状態を長時間安定的に保持する。【解決手段】紙箱１の上壁３に折り線６、７を設けている。折り線６の基端４と折り線７の基端５との間は切り目に形成されている。基端４と折り線７の外端は、折り線６の延長線に対し長辺方向に膨出する部分を有する開封用切取線８で接続されている。基端５と折り線６の外端は、折り線７の延長線に対し長辺方向に膨出する部分を有する開封用切取線１２で接続されている。【選択図】図１
2006176206.tif 000002
【特許請求の範囲】
【請求項１】
紙箱の上壁に、開封用切取線を上壁の他の部分から切離することによりティッシュペーパーの取出口を開口形成するための開封用切取線と折り線とを設けてなるティッシュペーパー用紙箱において、
前記上壁の長手方向中央位置に於いて縦方向に所定距離離隔した位置に前記折り線の基端を対向配設し、該基端から前記上壁長手方向に沿って夫々反対方向に延びる一定長の折り線を設け、この折り線の基端と外端は、対向する基端を経由する開封用切取線により接続され、この開封用切取線は対向基端近傍位置に於いて他方の折り線の延長線よりも上壁長辺方向に膨出し、開封用切取線と折り線とで囲まれる翼片が対向基端近傍位置で平視山部を有するように形成されたことを特徴とするティッシュペーパー用紙箱。
【発明の詳細な説明】
【技術分野】
【０００１】  本発明は、繰り出し可能に折り畳んで積み重ねたティッシュペーパーを収納するティッシュペーパー用紙箱に関し、更に詳しくはティッシュペーパーの取出口にプラスチックフィルムを設けていないフィルムレスティッシュペーパー用紙箱に関する。
【背景技術】
【０００２】  旧来のフィルムレスのティシュペーパー用紙箱は取出口の開口幅が広く、取り出し途中で放置したティッシュペーパーが紙箱内に戻るという欠点を有していた。この欠点に鑑み、帯状切取部を除去し取り出したティッシュペーパーを前後に対設する第１フラップで上方から押さえ、ティッシュペーパーの落下や必要以上の取り出しを防止しようとしたもの（意匠文献１参照）や、帯状切取部を除去し、両端小翼片と前後大翼片を取出口に配設し、取り出すときに上方に持ち上がる小翼片と大翼片とでティッシュペーパーを内側に絞り込み、小翼片をティッシュペーパー端部に引っ掛けることにより、ポップアップ状態を保持して引出し途中のティッシュペーパーを紙箱内に落下するのを防止するようにしたもの（意匠文献２参照〉や、取出口をＩ型ミシン目を入れて形成し、紙箱内に埃が入らないようにしたもの（実用新案文献１参照）が提案されている。
しかしながら、上記従来例のプラスティックフィルムレスの紙箱であると、取り出したティッシュペーパーの高さ方向の一定位置を前後方向から押さえるため、取り出し途中のティッシュペーパーのうち前後対向翼片対応位置より上方に位置する部分は自重で前後何れか一方向に取出口を覆って倒れ、次回の使用の際にティッシュペーパーを掴みづらく不衛生であるという不具合を有していた。又、意匠文献１又は２の紙箱は、開口作業も複雑で、特に子供、高齢者若しくは手の不自由な人には取出口の開口が困難であるという問題点を有していた。
【意匠文献１】
意匠登録第１２０７２９４号の意匠公報
【意匠文献２】
意匠登録第１２０６１０３号の意匠公報
【実用新案文献１】
実開昭５７−１６７０８０号公報
【発明の開示】
【発明が解決しようとする課題】
【０００３】  本願発明は、上壁長手方向に沿って取出口の前後に交互に翼片を設けることにより、立った状態のティッシュペーパーに前後方向から交互に圧力を加え、ティッシュペーパーの立った状態を長時間安定的に保持するものである。
【課題を解決するための手段】
【０００４】  本発明は、紙箱の上壁に開封用切取線を上壁の他の部分から切離することによりティッシュペーパーの取出口を開口形成するための開封用切取線と折り線とを設けてなるティッシュペーパー用紙箱において、前記上壁の長手方向中央位置に於いて縦方向に所定距離離隔した位置に前記折り線の基端を対向配設し、該基端から前記上壁長手方向に沿って夫々反対方向に延びる一定長の折り線を設け、この折り線の基端と外端は、対向する基端を経由する開封用切取線により接続され、この開封用切取線は対向基端近傍位置に於いて他方の折り線の延長線よりも上壁長辺方向に膨出し、開封用切取線と折り線とで囲まれる翼片が対向基端近傍位置で平視山部を有するように形成されていることを特徴とする。
【発明の効果】
【０００５】  本願発明は取出口の長手方向を等分する位置の前後口端に翼片を交互に取り付けているため、取り出し途中のティシュペーパーを前後方向から交互に加圧し、ティッシュペーパーの立った状態を長時間安定的に保持し、箱内にティッシュペーパーが戻らないという効果がある。
折り目と開封用切取線とで取出口を開設するため、従来のように開封用の帯状切取部が存在せず、取出口開設時にゴミが一切出ないという効果がある。
紙以外の材料を用いないため、廃棄の際に紙箱の折り畳み作業のみでそのまま紙ゴミとして処分でき、手間を要せず、環境保護に寄与するという効果がある。
【発明を実施するための最良の形態】
【実施例１】
【０００６】  図１は本発明ティッシュペーパー用紙箱の実施例における平面図、図２はティッシュペーパーの取出口を開口した状態における平面図、図３は図２のＡ−Ａ線断面図、図４はティッシュペーパーの取出口を開口した状態における斜視図、図５は使用状態を示す斜視図である。
これらの図において、紙箱１は厚紙等を材料とし横方向に長い直方体状に形成され、内側にはティッシュペーパー２を収納可能な中空部を設けている。紙箱１の上壁３には、上壁３の長手方向の略中央位置に於いて縦方向に所定距離を有して離隔した位置を基端４、５とし、基端４、５より上壁３の長手方向に沿って互いに反対方向に延びる折り線６、７を平行な位置関係となるように設けている。折り線６、７は上面側が窪んだ谷折りに形成されている。基端４と基端５との間は切り目に形成されている。基端４から折り線７の外端に亘たり、折り線７と開封用切取線８で囲まれる翼片９が形成されている。基端５から基端４を通る切り目と接続する開封用切取線８は、基端４の近傍位置に於いて折り線６の延長線より上壁３の長辺１０方向になだらかな曲線を描いて突き出し膨出し、さらに緩やかに下傾する曲線を描いて折り線７の外端と接続している。翼片９は、基端４の近傍位置に形成された開封用切取線８の膨出部の内側に平視山部１１を有する。又、基端５から折り線６の外端に亘たり、折り線６と開封用切取線１２とで囲まれる翼片１３が形成されている。基端４から基端５を通る切り目と接続する開封用切取線１２は、基端５の近傍位置に於いて折り線７の延長線よりも上壁３の長辺１４方向になだらかな曲線を描いて突き出し膨出し、さらに緩やかに上傾する曲線を描いて折り線６の外端と接続している。
翼片１３は、基端５の近傍位置に形成された開封用切取線１２の膨出部の内側に平視山部１５を有する。つまり、基端４、５間の中央位置を中心点とし、折り線６及び開封用切取線１２と、折り線７及び開封用切取線８は点対称に形成されている。【０００７】  具体例として上壁３の長辺が約２４．５ｃｍで短辺が約１１．５ｃｍの中空直方体状ティッシュペーパー用紙箱に関しては、折り線６、７の外端間の直線距離が約１５．０ｃｍ、開封用切取線８、１２の最大膨出位置（頂部、谷部）間の前後距離差が約４．０ｃｍ、基端４、５間の直線距離が約１．６ｃｍに形成され、開封用切取線８、１２が約１ｃｍ間隔の切り目間に約１ｍｍの接続部を有しているものが掲げられる。
実施例１の紙箱の各サイズは、上記数値に限定されない。開封用切取線８、１２の膨出部が折り線６、７より長辺方向に突き出していれば各位置間の距離はいかなる数値も含む。【０００８】  次に作用について説明する。平視山部１１、１５を同時に下方に押し上げ、開封用切取線８、１２を上壁３の他の部分から切離し、翼片９、１３を指で引き上げる。翼片９、１３は上壁３の上面に対し約４５°の角度を有する傾斜状態で上壁３に取出口を開設するのが好適である。紙箱１内から取出す途中のティッシュペーパー２には翼片９が後方向に力を加え、ティッシュペーパー２のうち取出口より上方に出ている部分は後方に倒れようとするが、翼片１３が前方向に力を加え、ティッシュペーパー２のうち取出口より上方に出ている部分は前方に倒れようとし、ティッシュペーパー２を前後方向から交互に翼片９、１３で押さえ、ティッシュペーパー２は伏せることなく立った状態を保持し、紙箱１の内部へ戻らない。ティッシュペーパー２を１枚ずつ繰り出しても、図５に示すように常にティッシュペーパー２は立った状態で取出口で待機しているため、ティッシュペーパー２は衛生的で、また使用上便利である。
【実施例２】
【０００９】  図６を参照にして実施例２を説明する。実施例１と異なる点は開封用切取線１６、１７の形状である。開封用切取線１６、１７は、折り線７、６の延長線位置よりも上壁３の長辺方向に膨出して第１の平視山部１８、１９を形成し、平視谷部２０、２１を介して第２の平視山部２２、２３を設けている。【００１０】  実施例２のティッシュペーパー用紙箱においては、第１の平視山部１８、１９を押し下げ、翼片２４、２５を摘んで上方に引き上げてティッシュペーパー取出口を開設する。ティッシュペーパーをティッシュペーパー取出口より取出すと、ティッシュペーパーは前後方向から第１の平視山部１８、１９及び第２の平視山部で押さえられ、立った状態を保持する。【００１１】  実施例１、２では、翼片が曲線状の切縁を有するものを例に説明したが本発明はこれに限定するものではなく、翼片が三角形状のものや段差を有して平視山部を設けたものや四角形状のものであるものも包含される。
【産業上の利用可能性】
【００１２】  紙箱内に収納するものはティッシュペーパーに限定せず、繰り出し可能に畳まれているものを収納すればキッチンペーパーその他の衛生紙用収納箱として幅広い用途に適用できる。
【図面の簡単な説明】
【００１３】
【図１】ティッシュペーパー用紙箱の平面図である。（実施例１）
【図２】ティッシュペーパーの取出口を開口した状態における平面図である。（実施例１）
【図３】図２のＡ−Ａ線断面図である。（実施例１）
【図４】ティッシュペーパーの取出口を開口した状態における斜視図である。（実施例１）
【図５】使用状態を示す斜視図である。（実施例１）
【図６】ティッシュペーパー用紙箱の平面図である。（実施例２）
【符号の説明】
【００１４】  １  紙箱
２  ティッシュペーパー
３  上壁
４、５  基端
６、７  折り線
８、１２、１６、１７  開封用切取線
９、１３、２４、２５  翼片
１０、１４  長辺
１１、１５  平視山部
１８、１９  第１の平視山部
２２、２３  第２の平視山部
【図１】
2006176206.tif 000003
【図２】
2006176206.tif 000004
【図３】
2006176206.tif 000005
【図４】
2006176206.tif 000006
【図５】
2006176206.tif 000007
【図６】
2006176206.tif 000008